(57)【要約】【課題】表示するべき画像情報のヒントを提供する。【解決手段】互いに異なる情報を表示可能な第１から第Ｎ（Ｎ≧２）までのＮ個の情報表示部を備えており、予め定められた条件に基づいて、上記Ｎ個の情報表示部に表示されている情報の少なくとも一部について、その表示を推奨する推奨情報を生成して、当該生成した推奨情報を出力する。【選択図】図１
2009086751.tif 000002
【特許請求の範囲】
【請求項１】
第１から第Ｎ（Ｎ≧２）までのＮ個の情報表示部を備え、各情報表示部に互いに異なる情報を表示可能な第１装置と、
複数の第２装置とを含み、
前記第１装置が、
Ｎ個の情報表示部に表示されている情報のうちから、
第１装置の利用者から受け入れられる指定と、
複数の第２装置において表示されている情報と、
の少なくとも一方に基づいて、前記Ｎ個の情報表示部に表示されている情報の少なくとも一部について、その表示を推奨する推奨情報を生成する手段と、
前記生成した推奨情報を出力する手段と、
を有し、
前記第２装置が、
前記第１装置で生成された推奨情報を受け入れる手段と、
当該受け入れた推奨情報に基づいて前記Ｎ個の情報表示部に表示されている情報のうち少なくとも一つを選択して要求する要求手段と、
前記要求に応答して送信される情報を受信して表示する手段と、
を含むことを特徴とする情報処理システム。
【請求項２】
互いに異なる情報を表示可能な第１から第Ｎ（Ｎ≧２）までのＮ個の情報表示部と、
予め定められた条件に基づいて、前記Ｎ個の情報表示部に表示されている情報の少なくとも一部について、その表示を推奨する推奨情報を生成する手段と、
前記生成した推奨情報を出力する手段と、
を含むことを特徴とする情報表示装置。
【請求項３】
互いに異なる情報を表示可能な第１から第Ｎ（Ｎ≧２）までのＮ個の情報表示部を備えて、予め定められた条件に基づいて、前記Ｎ個の情報表示部に表示されている情報の少なくとも一部について、その表示を推奨する推奨情報を生成する情報表示装置から、当該推奨情報を受信する手段と、
当該受け入れた推奨情報に基づいて前記Ｎ個の情報表示部に表示されている情報のうち少なくとも一つを選択して要求する要求手段と、
前記要求に応答して送信される情報を受信して表示する手段と、
を有することを特徴とする情報端末装置。
【請求項４】
前記選択した情報の履歴を記憶する手段を含み、
前記要求手段は、前記推奨情報と、前記記憶した履歴とに基づいて前記Ｎ個の情報表示部に表示されている情報のうち少なくとも一つを選択して要求することを特徴とする請求項３に記載の情報端末装置。
【請求項５】
コンピュータを、
互いに異なる情報を表示可能な第１から第Ｎ（Ｎ≧２）までのＮ個の情報表示部と、
予め定められた条件に基づいて、前記Ｎ個の情報表示部に表示されている情報の少なくとも一部について、その表示を推奨する推奨情報を生成する手段と、
前記生成した推奨情報を出力する手段と、
として機能させることを特徴とするプログラム。
【発明の詳細な説明】
【技術分野】
【０００１】
本発明は、情報処理システム、情報表示装置、情報端末装置、及びプログラムに関する。
【背景技術】
【０００２】
プロジェクタ等を用いて会議参加者等に一斉に情報を提示可能としているシステムがある。一方で、こうしたシステムを用いた会議を行うにあたり、各会議参加者が各自に、システムにおいて表示された情報に対して書き込みを行うことを可能とする端末装置がある。
【０００３】
この端末装置は、システム側で表示している画像の情報を取得し、それを記憶する。そして当該記憶した画像を表示して、当該表示した画像に対して利用者が自由に情報を書き込むことができるようにしたものである。
【０００４】
なお、遠隔に設置された装置に対し、複数のプロジェクタで投影された画面のいずれかを、予め定めた優先順位情報に基づいて選択して配信する装置が特許文献１に開示されている。
【特許文献１】特開平５−１８５０９０号公報
【発明の開示】
【発明が解決しようとする課題】
【０００５】
また、複数のプロジェクタで、互いに異なる複数の情報が提示されている場合、端末装置側でこれより少数の情報しか表示できないときには、端末装置の利用者には、どのプロジェクタで提示されている情報を表示させるべきかについてヒントが与えられていない。
【課題を解決するための手段】
【０００６】
請求項１記載の発明は、情報処理システムであって、第１から第Ｎ（Ｎ≧２）までのＮ個の情報表示部を備え、各情報表示部に互いに異なる情報を表示可能な第１装置と、複数の第２装置とを含み、前記第１装置が、Ｎ個の情報表示部に表示されている情報のうちから、第１装置の利用者から受け入れられる指定と、複数の第２装置において表示されている情報と、の少なくとも一方に基づいて、前記Ｎ個の情報表示部に表示されている情報の少なくとも一部について、その表示を推奨する推奨情報を生成する手段と、前記生成した推奨情報を出力する手段と、を有し、前記第２装置が、前記第１装置で生成された推奨情報を受け入れる手段と、当該受け入れた推奨情報に基づいて前記Ｎ個の情報表示部に表示されている情報のうち少なくとも一つを選択して要求する要求手段と、前記要求に応答して送信される情報を受信して表示する手段と、を含むこととしたものである。
【０００７】
請求項２記載の発明は、情報表示装置であって、互いに異なる情報を表示可能な第１から第Ｎ（Ｎ≧２）までのＮ個の情報表示部と、予め定められた条件に基づいて、前記Ｎ個の情報表示部に表示されている情報の少なくとも一部について、その表示を推奨する推奨情報を生成する手段と、前記生成した推奨情報を出力する手段とを含むこととしたものである。
【０００８】
請求項３記載の発明は、情報端末装置であって、互いに異なる情報を表示可能な第１から第Ｎ（Ｎ≧２）までのＮ個の情報表示部を備えて、予め定められた条件に基づいて、前記Ｎ個の情報表示部に表示されている情報の少なくとも一部について、その表示を推奨する推奨情報を生成する情報表示装置から、当該推奨情報を受信する手段と、当該受け入れた推奨情報に基づいて前記Ｎ個の情報表示部に表示されている情報のうち少なくとも一つを選択して要求する要求手段と、前記要求に応答して送信される情報を受信して表示する手段と、を有することとしたものである。
【０００９】
請求項４記載の発明は、請求項３に記載の情報端末装置であって、前記選択した情報の履歴を記憶する手段を含み、前記要求手段は、前記推奨情報と、前記記憶した履歴とに基づいて前記Ｎ個の情報表示部に表示されている情報のうち少なくとも一つを選択して要求することとしたものである。
【００１０】
請求項５記載の発明は、プログラムであって、コンピュータを、互いに異なる情報を表示可能な第１から第Ｎ（Ｎ≧２）までのＮ個の情報表示部と、予め定められた条件に基づいて、前記Ｎ個の情報表示部に表示されている情報の少なくとも一部について、その表示を推奨する推奨情報を生成する手段と、前記生成した推奨情報を出力する手段と、として機能させることとしたものである。
【発明の効果】
【００１１】
請求項１，２，５記載の発明によると、どの画像の情報を選択するべきかのヒントとなる情報を提供できる。
【００１２】
請求項３記載の発明によると、ヒントとなる情報に基づいて画像の選択表示が可能となる。
【００１３】
請求項４記載の発明によると、ヒントとなる情報だけでなく、過去の利用者の選択履歴を参照して画像の選択表示が可能となる。
【発明を実施するための最良の形態】
【００１４】
本発明の実施の形態について図面を参照しながら説明する。本発明の実施の形態に係る情報処理システムは、図１に例示するように、第１装置としての発表者側装置１０と、これに対してネットワーク等の通信手段を介して通信可能に接続されている、第２装置としての会議参加者側の各端末装置２０とを含んで構成されている。
【００１５】
発表者側装置１０には、サーバ１１と、Ｎ台のプロジェクタ１２-1，１２-2，…１２-Nと、操作端末１３とが含まれる。また、端末装置２０は、制御部２１と、記憶部２２と、操作部２３と、表示部２４と、通信部２５とを含んで構成されている。
【００１６】
サーバ１１は、操作端末１３から入力される指示に従い、各プロジェクタ１２に対して投影するべき画像の情報を出力する。また、このサーバ１１は、端末装置２０のそれぞれから、少なくとも一つのプロジェクタ１２において投影されている画像の情報の要求を受けて、要求された画像を配信する。このサーバ１１の動作については後に述べる。
【００１７】
Ｎ個のプロジェクタ１２は、それぞれ発表者側装置１０の情報表示部として機能し、サーバ１１から入力される指示により、指示された画像をスクリーンに投影することで、情報の表示を行う。
【００１８】
操作端末１３は、マウスやキーボードなどの操作部と、ディスプレイ等の表示部と、通信回線を介して外部の装置（サーバ１１等）と通信する通信部と、操作の内容に応じて、サーバ１１との通信を行い、ディスプレイ等に情報を表示するよう制御するＣＰＵ（Central Processing Unit）等の制御部と、この制御部が実行するプログラム等を保持する記憶部とを含む。このプログラムは、ＤＶＤ−ＲＯＭなどコンピュータ可読な記録媒体に格納されて提供され、ここへ複写されたものでもよい。本実施の形態において、会議の発表者となる利用者（第１装置の利用者：以下、参加者と区別するために発表者と呼ぶ）は、この操作端末１３を操作して、サーバ１１に保持されている会議資料などの情報を呼び出して、どのプロジェクタ１２に、どの画像の情報を投影させるかを指示する。操作端末１３は、当該指示に従って、サーバ１１に対して、各プロジェクタ１２に投影させる画像の情報を特定する情報を出力し、投影を指示する。
【００１９】
またこの操作端末１３には、発表者が、各プロジェクタ１２による画像の投影先となる複数のスクリーンのうち、いずれかのスクリーンに触れたこと、またはいずれかのスクリーンに投影された画像に対して書き込みの操作を行ったことなど、発表者の動作や操作を検出し、その検出の結果を表す情報を出力してもよい。ここで利用者の動作や操作の検出は、例えばスクリーンごとにタッチセンサを設けて、当該タッチセンサの検出の結果を用いてもよいし、発表者の動きをカメラ等で撮像して、当該画像を解析して検出してもよい。
【００２０】
次にサーバ１１の動作例について述べる。このサーバ１１は、ＣＰＵ（Central Processing Unit）等のプログラム制御デバイスを含み、予め指定されたプログラム（例えばＤＶＤ−ＲＯＭなどコンピュータ可読な記録媒体に格納されて提供されたもの）に従って動作する。このサーバ１１は、ここでは機能的に、図２に例示するように環境情報管理部３１と、画像配信部３２と、文書管理部３３と、表示制御部３４とを含んで構成される。ここに環境情報管理部３１は、会議参加者を認証して、認証した会議参加者に関する情報を保持する。
【００２１】
環境情報管理部３１は、端末装置２０から利用者認証の要求を受けて、利用者名とパスワードとの送信を求める。そして端末装置２０から利用者名やパスワードを受信すると、これら受信した利用者名とパスワードとが予め対応付けて格納されているか否かを調べ、格納されていれば、利用者を認証したものとする。この環境情報管理部３１は、当該認証した利用者を特定する情報を、会議参加者データベースとして保持する。この情報には、例えば各利用者の使用する端末装置２０のネットワークアドレスを関連付けておいても構わない。
【００２２】
画像配信部３２は、予め定めたタイミングごと（例えば一定の時間ごと）に、第１から第Ｎまでのプロジェクタ１２で投影されている各画像のうち、少なくとも一部について、予め定められた条件に従って、推奨情報を生成する。
【００２３】
例えばこの画像配信部３２は、各プロジェクタ１２で投影されている画像の切り替え頻度（最近所定時間（例えばＴ秒）前までの切り替え回数）や、操作端末１３が出力する発表者の動作や操作の検出結果に基づく条件により、推奨情報を生成する。具体的な例として、画像ごとの画像の切り替え頻度ａiと、発表者の書き込み操作の回数ｂiとに基づいて、スコア値
Ｓi＝α・ａi＋βｂi
（ここに、α、βは正の数であり、重みを表す）を画像ごとに算出する。そしてスコア値の高い順に上位所定数個の画像について推奨情報を生成してもよい。ここに推奨情報は、スコア値の順位を表す優先度の情報であってもよい。以下の説明では推奨情報は、図３に例示するように、スコア値の高い順に、各スコア値に対応する表示部を特定する情報として、画像を投影しているプロジェクタ１２を特定する情報（プロジェクタ識別情報）の順列を含むものとする。なお、この推奨情報は、最も高いスコア値に対応するプロジェクタ１２のプロジェクタ識別情報を一つだけ含むものであってもよい。
【００２４】
画像配信部３２は、こうして生成した推奨情報を、各端末装置２０へ送信する。また、この画像配信部３２は、各端末装置２０からどのプロジェクタ１２で投影されている画像を提供するかを表す要求の情報を受信する。この要求は、例えばプロジェクタ識別情報（このプロジェクタ識別情報が、例えばｉ番目のプロジェクタ１２を特定する場合は、この値「ｉ」でも構わない）を含む。画像配信部３２は、プロジェクタ識別情報で特定されるプロジェクタ１２に投影させている画像の情報を、文書管理部３３から読み出して、要求元の端末装置２０へ配信する。
【００２５】
文書管理部３３には、複数の画像の情報が保持されている。サーバ１１の表示制御部３４は、発表者の指示により、この文書管理部３３にて保持されている画像の情報をＮ個読み出して、第１から第Ｎ番目の各プロジェクタ１２-1，１２-2，…１２-Nにそれぞれ出力することになる。
【００２６】
端末装置２０の制御部２１は、ＣＰＵ（Central Processing Unit）などのプログラム制御デバイスであり、記憶部２２に格納されているプログラムに従って動作する。
【００２７】
この端末装置２０の制御部２１は、発表者側装置１０の情報表示部としてのＮ個のプロジェクタ１２が投影している画像の情報のうち少なくとも一つを、予め定めた条件（例えばサーバ１１から受信される推奨情報の順）に基づいて選択して要求し、要求に応じて送信された情報を受けて表示する。この制御部２１の詳しい処理の内容については後に述べる。
【００２８】
記憶部２２は、ＲＡＭ（Random Access Memory）等の記憶素子やハードディスク等のデバイスを含んで構成される。この記憶部２２には、制御部２１によって実行されるプログラムが保持される。このプログラムは、例えばＤＶＤ−ＲＯＭ等のコンピュータ可読な記憶媒体に格納されて提供され、この記憶部２２に複写されたものであってもよい。
【００２９】
操作部２３は、例えばマウスやキーボードである。この操作部２３は、利用者の操作を受け入れて、当該操作の内容を表す情報を、制御部２１に出力する。例えば、利用者がマウスを操作すれば、当該マウスの移動方向に関する情報が制御部２１に出力される。
【００３０】
また本実施の形態において、この操作部２３は、表示部２４に重ね合わせられた透明のタッチパネルを含んでもよい。このタッチパネルに対して利用者がペンによる描画を行ったり、指で触れたりすると、当該ペンや指の接触している位置などの情報が制御部２１に出力される。
【００３１】
表示部２４は、液晶ディスプレイなどである。この表示部２４は、制御部２１から入力される指示に従って情報を表示する。通信部２５は、例えばネットワークインタフェース等であり、ネットワーク等の通信手段を介して外部の機器（他の端末装置２０や、発表者側装置１０等）との間で情報の送受を行う。
【００３２】
次に、制御部２１の動作について説明する。本実施の形態の制御部２１が実行するプログラムは、機能的には図４に示すように、画面選択部４１と、画面要求部４２と、画面取得部４３と、記録部４４と、画面表示部４５と、書込受入部４６とを含んで構成されている。
【００３３】
画面選択部４１は、発表者側装置１０の情報表示部としてのＮ個のプロジェクタ１２が投影している画像の情報のうちから、予め定められた条件に基づいて、取得する画像を選択する。ここでの条件としては、例えば、サーバ１１から受信される推奨情報に基づく条件がある。すなわち、画面選択部４１は、例えばサーバ１１から受信される推奨情報が図３に示すようなものであれば、画面選択部４１は、推奨情報を受信するごとに、受信した推奨情報の先頭から少なくとも一つのプロジェクタ識別情報を取り出し、当該取り出したプロジェクタ識別情報で特定されるプロジェクタ１２を選択すればよい。
【００３４】
画面要求部４２は、画面選択部４１により選択されたプロジェクタ１２を特定するプロジェクタ識別情報を、サーバ１１に対して要求する。画面取得部４３は、画面要求部４２にて要求した画像の情報をサーバ１１から受け入れて画面表示部４５に出力する。記録部４４は、画面要求部４２が要求した情報（プロジェクタ識別情報）を記憶部２２に蓄積して記録する。
【００３５】
画面表示部４５は、画面取得部４３が取得した画像を表示部２４に表示出力する。また、この画面表示部４５は当該表示に併せて、過去に表示した画像のうち少なくとも一部を縮小処理し、当該縮小処理の結果を一覧として表示してもよい。つまり、この画面表示部４５は、例えば、図５に示すように、画面選択部４１にて選択されたプロジェクタ１２により投影されている画像の情報を表示するメイン部（Ｍ）と、直近ｎ回前までにメイン部に表示していたｎ個の縮小画像を表示する縮小表示部（Ｓ）とを含む画面を提示することとしてもよい。
【００３６】
また、この画面表示部４５は、過去にメイン部（Ｍ）に表示した画像の情報を蓄積して保持しておき、縮小表示部（Ｓ）に表示されている縮小画像のひとつを選択する操作が行われると、当該選択された縮小画像の元となった（縮小前の）画像の情報を保持しているなかから読み出して、メイン部（Ｍ）へ表示してもよい。
【００３７】
書込受入部４６は、メイン部（Ｍ）に表示されている画像の情報に対する文字列や、線画などの書き込み指示を受けて、当該指示によって書き込まれた文字列、線画の情報を、メイン部に表示されている画像の情報を特定する情報（例えば当該画像の情報を投影しているプロジェクタ１２のプロジェクタ識別情報）に関連付けて、記憶部２２に格納する。この情報は、例えば後に書込を参照する指示を受けて、端末装置２０が、当該書込に係る文字列や線画の情報とともに、それに関連付けられている情報で特定されている画像の情報を取得し、取得した画像の情報に、書込に係る文字列や線画の情報を合成して表示することで、書込結果を再現する処理に用いる。
【００３８】
このように本実施の形態のシステムでは、発表者の画面切り替えの頻度や、書込などの操作頻度などによって、サーバ１１が、Ｎ個のプロジェクタ１２のうち、少なくとも一つを特定する推奨情報を所定のタイミングごとに生成して出力する。
【００３９】
そして各利用者の端末装置２０は、所定のタイミングごとにサーバ１１が生成した推奨情報を受け入れ、当該推奨情報によって特定されるＮ個のプロジェクタ１２が投影する画像の情報を要求し、端末装置２０の利用者に提示する。
【００４０】
しかしながら端末装置２０の画面選択部４１が取得する画像を選択する条件は、これまでの説明に限られるものではない。すなわち、画面選択部４１は、推奨情報に基づく条件だけでなく、利用者の明示的な指定に基づく条件を含んでもよい。例えば、端末装置２０の利用者が、Ｎ個のプロジェクタ１２のうち、少なくとも一つを指定する操作を行うと、画面選択部４１は、推奨情報の内容に関わらず、当該指定されたプロジェクタ１２を選択してもよい。
【００４１】
このように明示的な指定を受け入れる場合、次に推奨情報を受信したときにも、当該指定されたプロジェクタ１２を選択し続けるか否かについて予め設定しておくこととしてもよい。例えば、次に推奨情報を受信したときにも、指定したプロジェクタ１２を選択し続けることとしたときには、次の推奨情報を受信したときにも、先に指定されたプロジェクタ１２を選択する。そして利用者が、指定の解除の操作を行ったときには、直前に受信した、またはその後受信する推奨情報に基づいてプロジェクタ１２を選択する。
【００４２】
さらにここまでの説明ではサーバ１１が、発表者の動作、操作に基づいて推奨情報を生成する例を説明したが、本実施の形態はこれに限られるものではない。例えば上述のように、端末装置２０の利用者が、プロジェクタ１２を明示的に指定することを可能としている場合、当該条件には、各端末装置２０の利用者がどのプロジェクタ１２を選択しているかを表す情報に係る条件をさらに含んでもよい。
【００４３】
すなわちサーバ１１の画像配信部３２は、各端末装置２０から受信した要求の内容を、図６に例示するように記憶する。ここでは、端末装置２０を識別する情報（例えば各端末装置２０のネットワークアドレスなど）に関連付けて、各端末装置２０から受信したプロジェクタ識別情報を記憶する。なお、プロジェクタ識別情報が複数ある場合は、複数記憶しておく。
【００４４】
サーバ１１の画像配信部３２は、各端末装置２０を識別する情報に関連付けられたプロジェクタ識別情報と、推奨情報が表す情報とを比較する。そして、記憶しているプロジェクタ識別情報で特定されるプロジェクタ１２のうち、推奨情報において所定順位までに特定されていないプロジェクタ１２があれば、そのようなプロジェクタ１２が明示的に選択されたプロジェクタ１２であると判断する。
【００４５】
そしてサーバ１１の画像配信部３２は、明示的に選択されたプロジェクタ１２の選択頻度を参照し、ｉ番目のプロジェクタ１２のスコア値を例えば、
Ｓi＝α・ａi＋βｂi＋γｃi
として演算する。ここでｃiは、ｉ番目のプロジェクタ１２の明示的選択の頻度が高いほど大きくなる値（明示的に選択している端末装置２０の台数など）であり、γは重みを表す正の数である。
【００４６】
なお例えば利用者によってプロジェクタ１２が明示的に選択されたときに、端末装置２０が、明示的に選択されたことを表す情報とともにサーバ１１に対してプロジェクタ識別情報を送信することとすれば、サーバ１１は、当該明示的に選択されたことを表す情報とともに受信したプロジェクタ識別情報によって特定されるプロジェクタ１２の選択頻度を参照して、上記のスコア値を演算してもよい。
【００４７】
さらに、サーバ１１においてスコア値算出の際に、各端末装置２０において明示的に選択されたプロジェクタ１２の選択頻度の情報を用いるのではなく、サーバ１１が当該選択頻度の情報を各端末装置２０へ配信してもよい。
【００４８】
そして、端末装置２０の画面選択部４１が、推奨情報とともに、当該頻度の情報に基づいて、どのプロジェクタ１２を選択するかを判断してもよい。例えば、選択頻度の情報が予め定めたしきい値を超えるプロジェクタ１２がある場合、そのうち選択頻度が最大となっているプロジェクタ１２を選択することとし、選択頻度の情報に予め定めたしきい値を超えるものがない場合は、推奨情報を用いて選択を行うこととしてもよい。
【００４９】
また端末装置２０は、記録部４４において、当該端末装置２０の利用者の指示による過去の選択（明示的な選択）の内容を記憶してもよい。そして、明示的に選択された各プロジェクタ１２の選択頻度を表す情報を生成して、当該生成した選択頻度の情報を、推奨情報とともに用いて、どのプロジェクタ１２を選択するかを判断してもよい。この場合、端末装置２０は、第１から第Ｎまでの各プロジェクタ１２-1…１２-Nについて、当該端末装置２０の利用者の指示による過去の選択の回数をカウントして記憶しておく。そして、当該カウント値が例えば予め定めたしきい値を越えるプロジェクタ１２がある場合は、サーバ１１から受信した推奨情報を無視して、過去の利用者の指示による選択のカウント値が最大となっているプロジェクタ１２を選択することとしてもよい。
【００５０】
さらに、ここまでの説明ではサーバ１１は、推奨情報として、少なくとも一部のプロジェクタ１２の推奨順位を特定する情報などを送信出力することとしたが、これに限られるものではない。例えばサーバ１１は、各プロジェクタ１２について演算したスコア値を、そのまま推奨情報として送信してもよい。このような場合、端末装置２０では、過去の利用者の指示による選択の回数をカウント値に基づいて各スコア値を補正し、当該補正後のスコア値に基づいてプロジェクタ１２の選択を行ってもよい。
【００５１】
例えば、ｉ番目のプロジェクタ１２-iについて、サーバ１１側で演算したスコア値Ｓiが受信されているとき、当該ｉ番目のプロジェクタ１２-iを、端末装置２０の利用者が指示して選択した回数Ｄiを用いて、
Ｓ′i＝Ｓi＋εＤi
を算出し、各プロジェクタ１２についてのＳ′i（ｉ＝１，２，…Ｎ）のうち、最大のスコア値となったものから順に、所定数のプロジェクタ１２を選択することとしてもよい。なお、ここでεは、重みを表す正の値である。
【００５２】
また、端末装置２０の画面選択部４１は、他の端末装置２０の選択の結果を参照し、当該参照した他の端末装置２０にて選択されているプロジェクタ１２をそのまま選択することとしてもよい。この場合端末装置２０の画面選択部４１は、サーバ１１に対して、環境情報管理部３１が保持する会議参加者データベースを要求し、当該会議参加者データベースにおいて参加していると判断される参加者の一覧を取得して提示する。そして利用者に対して、当該一覧からいずれかの参加者を選択させる。ここで利用者がいずれかの参加者を選ぶと、サーバ１１に対して所定のタイミングごとに、当該選ばれた参加者の端末装置２０の要求に係るプロジェクタ識別情報を要求する。そして端末装置２０の画面選択部４１は、サーバ１１から選ばれた参加者の端末装置２０の要求に係るプロジェクタ識別情報を受信し、当該受信したプロジェクタ識別情報で特定されるプロジェクタ１２を選択する。
【００５３】
さらにサーバ１１は、発表者が操作する操作端末１３に対して、端末装置２０で、各プロジェクタ１２を選択している人数がどれだけであるかを表す情報を提示してもよい。
【００５４】
例えばサーバ１１は、操作端末１３に対して、各プロジェクタ１２に出力している画像の情報の縮小イメージを出力する。このときサーバ１１は、当該縮小イメージの一部に、当該縮小イメージを投影しているプロジェクタ１２を選択している端末装置２０の台数を表す画像を合成する。この画像は、例えば台数の数字そのものであってもよいし、その数だけの円などの図形集合であってもよい。
【００５５】
さらにサーバ１１は、各プロジェクタ１２の選択が明示的であるか、推奨情報に基づいて行われたものであるかを識別する場合は、そのどちらであるかによって表示の態様を異ならせてもよい。例えば、明示的に選択している端末装置２０の台数を黒で塗りつぶした円図形の数で表し、推奨情報に基づいて選択している端末装置２０の台数を白で塗りつぶした円図形の数で表してもよい。これにより例えば操作端末１３の画面には、図７に示すような画像が表示されることとなる。この図７では、Ｎ＝３台のプロジェクタ１２を用いているときに、端末装置２０のうち２台が、第１のプロジェクタ１２-1を推奨情報に従って選択しており、端末装置２０の１台が、その利用者の指定によって第２のプロジェクタ１２-2を選択している場合の画面表示例を表している。
【００５６】
また本実施の形態では、サーバ１１の画像配信部３２が、各端末装置２０からプロジェクタ識別情報を、画像の情報の要求として受信するごとに、その受信の日時を表す情報（カレンダーチップなどで計時されている日時の情報やＮＴＰ（Network Time Protocol）サーバなどから取得される日時の情報でよい）に関連付けて、当該プロジェクタ識別情報を蓄積して保存してもよい。
【００５７】
さらにサーバ１１の表示制御部３４は、プロジェクタ１２ごとに、プロジェクタ１２へ出力する画像の情報が変更されるごとに、当該変更後の画像の情報を識別する情報（文書管理部３３から取り出す際に用いる識別子でよい）と、変更の日時とを関連付けて、画像提示履歴として蓄積して保持してもよい。
【００５８】
このようにして端末装置２０でのプロジェクタ１２の選択履歴などを記録しておく場合、サーバ１１は、後に当該特定の利用者の端末装置２０での過去の表示を再現する処理を行ってもよい。
【００５９】
すなわち、サーバ１１は、端末装置２０等から受信される再現の指示に従い、いずれかの端末装置２０を注目端末として、当該注目端末に関連付けて蓄積しているプロジェクタ識別情報を日時の順（日時の早いものが先となるよう）に並べ替える。そして、そのうち最初のものから順に蓄積しているプロジェクタ識別情報と、それに関連付けられている日時の情報とを順次、取り出す。そして当該取り出した日時において、プロジェクタ識別情報で特定されるプロジェクタ１２に出力されていた画像の情報を、画像提示履歴を参照して順次特定する。そして当該特定した画像の情報を文書管理部３３から取り出して、再現の指示の送信元へ順次送出する。
【図面の簡単な説明】
【００６０】
【図１】本発明の実施の形態に係る情報処理システムの構成例を表すブロック図である。
【図２】本発明の実施の形態に係るサーバ１１の例を表す機能ブロック図である。
【図３】本発明の実施の形態に係るサーバ１１が生成する推奨情報の例を表す説明図である。
【図４】本発明の実施の形態に係る端末装置の例を表す機能ブロック図である。
【図５】本発明の実施の形態に係る端末装置での画面例を表す説明図である。
【図６】本発明の実施の形態に係るサーバ１１が保持する各端末装置からの要求の例を表す説明図である。
【図７】本発明の実施の形態に係るサーバ１１が発表者に提供する画面の例を表す説明図である。
【符号の説明】
【００６１】
１０  発表者側装置、１１  サーバ、１２  プロジェクタ、１３  操作端末、２０  端末装置、２１  制御部、２２  記憶部、２３  操作部、２４  表示部、２５  通信部、３１  環境情報管理部、３２  画像配信部、３３  文書管理部、３４  表示制御部、４１  画面選択部、４２  画面要求部、４３  画面取得部、４４  記録部、４５  画面表示部、４６  書込受入部。
【図１】
2009086751.tif 000003
【図２】
2009086751.tif 000004
【図３】
2009086751.tif 000005
【図４】
2009086751.tif 000006
【図５】
2009086751.tif 000007
【図６】
2009086751.tif 000008
【図７】
2009086751.tif 000009